(57)【特許請求の範囲】
【請求項１】
一方のハウジングのシール取付用筒部の基部外側にゴム製のシール部材を嵌着し、該シール部材の外側に他方のハウジングを嵌合し、前記シール取付用筒部の基部外面と前記他方のハウジングの内面間を前記シール部材により防水する防水コネクタにおいて、前記シール取付用筒部の外面に先端部から前記基部に向けて複数個の案内溝を、前記シール取付用筒部の基部において複数個の被挟持部を形成するように設け、前記シール部材は、前記シール取付用筒部の基部外側に位置する環帯状のシール本体と、該シール本体に一体に付着し前記シール取付用筒部の前記複数個の案内溝のそれぞれを介して内側に入り込む複数個の挟持部とから成り、前記シール部材の嵌着に際して前記複数個の挟持部のそれぞれを前記複数個の案内溝のそれぞれに進入させて、前記シール本体と前記複数個の挟持部のそれぞれとの間で、前記シール取付用筒部の基部に形成した前記複数個の被挟持部のそれぞれを挟持することを特徴とする防水コネクタ。
【発明の詳細な説明】
【０００１】
【発明の属する技術分野】
本発明は、例えば車輌の電気配線に使用され、特にハウジング同士の嵌合部を防水するためのシール部材を備えた防水コネクタに関するものである。
【０００２】
【従来の技術】
従来のこの種の防水コネクタの１つとして、図７の水平断面図に示すようなものが知られており、雌型ハウジング１と雄型ハウジング２が環帯状のゴム製のシール部材３を介して結合される。シール部材３は雄型ハウジング２の内筒部２ａの外周面に嵌着され、フロントホルダ４によりその端部が固定されている。そして、これらのシール部材３とフロントホルダ４を備えた雄型ハウジング２が、雌型ハウジング１の筒部１ａの内側に嵌合される。
【０００３】
一方、図８に示すように雌型ハウジング５と雄型ハウジング６が、外向きの突片７ａを有するシール部材７を介して結合されるものも知られている。
【０００４】
【発明が解決しようとする課題】
しかしながら上述した図７に示す従来例では、シール部材３が単なる環帯状に形成されているだけであるため、例えば図７の右側に示すようにシール部材３の一部にめくれ部３ａが発生することがある。このため、雌型ハウジング１と雄型ハウジング２を結合する際に、雌型ハウジング１の筒部１ａの先端がめくれ部３ａに当接し、雌型ハウジング１と雄型ハウジング２の結合が不可能になるという問題がある。
【０００５】
また図８に示す従来例では、シール部材７が前後逆向きに装着される場合があり、この場合でもシール効果が不完全なまま雌型ハウジング５と雄型ハウジング６が結合してしまう虞れがある。
【０００６】
本発明の目的は、上述した問題点を解消し、シール部材のめくれや逆向きの装着を防止し得る防水コネクタを提供することにある。
【０００７】
【課題を解決するための手段】
上記目的を達成するための本発明に係る防水コネクタは、一方のハウジングのシール取付用筒部の基部外側にゴム製のシール部材を嵌着し、該シール部材の外側に他方のハウジングを嵌合し、前記シール取付用筒部の基部外面と前記他方のハウジングの内面間を前記シール部材により防水する防水コネクタにおいて、前記シール取付用筒部の外面に先端部から前記基部に向けて複数個の案内溝を、前記シール取付用筒部の基部において複数個の被挟持部を形成するように設け、前記シール部材は、前記シール取付用筒部の基部外側に位置する環帯状のシール本体と、該シール本体に一体に付着し前記シール取付用筒部の前記複数個の案内溝のそれぞれを介して内側に入り込む複数個の挟持部とから成り、前記シール部材の嵌着に際して前記複数個の挟持部のそれぞれを前記複数個の案内溝のそれぞれに進入させて、前記シール本体と前記複数個の挟持部のそれぞれとの間で、前記シール取付用筒部の基部に形成した前記複数個の被挟持部のそれぞれを挟持することを特徴とする。
【０００８】
【発明の実施の形態】
本発明を図１〜図６に図示の実施例に基づいて詳細に説明する。
図１は実施例の断面図、図２は部分拡大図であり、雌型ハウジング１１と雄型ハウジング１２がシール部材１３とフロントホルダ１４を介して結合された状態を示している。雌型ハウジング１１は合成樹脂材料により形成され、図示しない接続端子を収容するための端子収容孔２１が複列に設けられている。雌型ハウジング１１の雄型ハウジング１２との結合側には、環状空間２２を有する小径筒部２３と、この小径筒部２３に連接し嵌合孔２４を有する大径筒部２５とが形成され、大径筒部２５の外周面の上下にはロック用突起２６、２７がそれぞれ設けられている。
【０００９】
一方、雄型ハウジング１２も合成樹脂材料により形成され、図示しない接続端子を収容するための端子収容孔３１が、雌型ハウジング１１の端子収容孔２１に対応するように設けられている。雄型ハウジング１２の雌型ハウジング１１との結合側には環状空間３２を有する内筒部３３と、この内筒部３３の外側に環状空間３４を有する外筒部３５とが設けられている。環状空間３２は雌型ハウジング１１の環状空間２２にほぼ対応するように形成されている。
【００１０】
内筒部３３にはゴム製のシール部材１３と合成樹脂材料から成るフロントホルダ１４が嵌着され、環状空間３４には雌型ハウジング１１の大径筒部２５が、フロントホルダ１４とシール部材１３の外側から嵌合されるようになっている。外筒部３５の上下面には、雄型ハウジング１２のロック用突起２６、２７にロックするロック用アーム３６、３７がそれぞれ形成されている。そして、図３の部分平面図に示すように、シール取付用の内筒部３３にはシール部材１３の後述する挟持部を案内するための案内溝３８が、例えば上下面に３個ずつ形成されている。
【００１１】
図４のＡ−Ａ線に沿った図５の断面図に示すように、シール部材１３には雄型ハウジング１２の内筒部３３の外周面に密に嵌合する環帯状のシール本体４１が設けられている。シール本体４１の先端側つまり内筒部３３に対する装着方向には、シール力を向上させるための内向隆条４２と外向隆条４３が形成されている。シール本体４１の内向隆条４２と外向隆条４３の反対側の内側には、シール本体４１と共働して雄型ハウジング１２の内筒部３３を挟持する挟持部４４が、連結部４５を介して内筒部３３の案内溝３８に対応する数だけ設けられ、挟持部４４はシール本体４１に対して空間４６を隔ててほぼ平行に形成されている。挟持部４４の厚さは雄型ハウジング１２の環状空間３２に嵌合される大きさとされ、挟持部４４とシール本体４１の間隔は、内筒部３３の案内溝３８の奥に残された被挟持部３３ａが圧入される大きさとされている。
【００１２】
そして、フロントホルダ１４は雄型ハウジング１２の端子収容孔３１に収容された接続端子の係止力を補強し、シール部材１３の端部を押圧してシール力を補強するものであり、雄型ハウジング１２の内筒部３３に前端側から装着されるようになっている。
【００１３】
このような構成による雌型ハウジング１１と雄型ハウジング１２を結合する際には、先ずシール部材１３を雄型ハウジング１２の内筒部３３に嵌着する。このとき、シール部材１３の連結部４５を後側にして挟持部４４を案内溝３８に合わせ、シール本体４１を内筒部３３の外周面に嵌合する。シール本体４１が内筒部３３の外周面を摺動すると共に、連結部４５が案内溝３８を進み、挟持部４４は環状空間３２を進入する。そして、最終位置では挟持部４４が内筒部３３の被挟持部３３ａを跨ぐようにしてその下部に進入し、内筒部３３の被挟持部３３ａがシール本体４１と挟持部４４の間の空間４６に圧入され、内筒部３３がシール本体４１と共働して被挟持部３３ａを挟持した状態になる。
【００１４】
その後に、フロントホルダ１４を内筒部３３に装着すると、フロントホルダ１４の先端がシール部材１３のシール本体４１の後端を若干押圧した状態になる。シール部材１３及びフロントホルダ１４が装着された雄型ハウジング１２を雌型ハウジング１１の嵌合孔２４に嵌合すると、雌型ハウジング１１の大径筒部２５が雄型ハウジング１２の環状空間３４に嵌合する。同時に、ロック用突起２６、２７とロック用アーム３６、３７がそれぞれ係合し、雌型ハウジング１１と雄型ハウジング１２が結合されかつロックされる。
【００１５】
このように、実施例ではシール部材１３のシール本体４１の内側に挟持部４４を連結部４５を介して設けたので、シール本体４１と挟持部４４の相対位置は連結部４５により保持される。このため、挟持部４４が被挟持部３３ａの内面に進入した際には、シール本体４１は逆に内筒部３３の外周面に付勢されることになり、シール本体４１がめくれることがない。更に、シール部材１３の挟持部４４を内筒部３３の案内溝３８に対して正確に位置決めするので、シール部材１３を正しい形状で装着できるようになり、シール力を確保することができる。
【００１６】
また、図６に示すようにシール部材１３が逆向き、つまり連結部４５側からハウジング１２内に装着された場合には、連結部４５が内筒部３３の被挟持部３３ａに当接し、シール部材１３を最終的な位置まで押し込むことができなくなる。このことは、フロントホルダ１４を装着する際にその後端面１４ａが雄型ハウジング１２の後端面１２ａから突出した状態に残ることにより認識することができる。更に、案内溝３８の奥行きを任意に形成することにより、シール部材１３を内筒部３３の任意の位置に配置することができるようになる。
【００１７】
【発明の効果】
以上説明したように本発明に係る防水コネクタは、シール部材のシール本体がシール取付用筒部の外周面に嵌着した際に挟持部はシール取付用筒部の内周面に進入し、シール本体と挟持部でシール取付用筒部を挟持するため、シール本体をハウジングのシール取付用筒部に密着させることができ、シール本体がめくれることを防止できる。また、シール部材を逆向きに嵌着した場合には、シール本体と挟持部の連結合がシール取付用筒部に当接し、シール部材を所定位置まで押し込むことができなくなるため、シール部材の逆向きの装着を防止することができる。
【図面の簡単な説明】
【図１】実施例の断面図である。
【図２】部分拡大図である。
【図３】内筒部の平面図である。
【図４】シール部材の正面図である。
【図５】図４のＡ−Ａ線に沿った断面図である。
【図６】作用説明図である。
【図７】従来例の断面図である。
【図８】従来例の断面図である。
【符号の説明】
１１  雌型ハウジング
１２  雄型ハウジング
１３  シール部材
１４  フロントホルダ
３２  環状空間
３３  内筒部
３３ａ  被挟持部
３８  案内溝
４１  シール本体
４４  挟持部
４５  連結部
４６  空間
【図１】
0003573542.tif 000002
【図２】
0003573542.tif 000003
【図３】
0003573542.tif 000004
【図４】
0003573542.tif 000005
【図５】
0003573542.tif 000006
【図６】
0003573542.tif 000007
【図７】
0003573542.tif 000008
【図８】
0003573542.tif 000009